(57)【要約】      （修正有）【課題】火袋上部の狭い開口から装入した後、複数の光源を容易に展開可能な照明具用の光源保持具を提供する。【解決手段】電灯１１０は、ソケット１０２ａに装着されるプラグ１１６と、プラグ１１６の上端に固定された円形トレイ１１５と、円形トレイ１１５に保持された光源保持具１５０と、電線と、光源１１４で構成されている。光源保持具１５０は円筒形のベースと角棒状の１２本のアームとを有する。円形トレイ１１５はベースの外形状とほぼ同じ形状の凹部を有しており、該凹部にベースを嵌め込むことにより光源保持具１５０が円形トレイ１１５に保持される。光源１１４は各アームの先端に保持され、各アームに保持された電線を介してプラグ１１６に電気的に接続される。【選択図】図２
0003200477.tif 000002
【実用新案登録請求の範囲】
【請求項１】
a) 柱状のベースと、
b) 前記ベースの上部周縁において上面から側面にかけて放射状に形成された複数の溝と、
c) 前記複数の溝のそれぞれにおいて、前記ベースの中心軸に略平行な起立状態から該中心軸から放射方向に傾斜した傾斜状態に重力により回動可能に取り付けられた1本のアームと、
d) 前記各アームの先端に設けられた、光源を固定するための光源固定部と、
を備えることを特徴とする照明具用の光源保持具。
【請求項２】
前記各アームの傾斜状態における前記アームと前記中心軸との成す角が、前記アーム毎に異なる角度であることを特徴とする請求項１に記載の照明具用の光源保持具。
【請求項３】
前記ベースが、上面が扇形又は三角形であってそれぞれに前記溝が設けられた複数のベース部材で構成されることを特徴とする請求項１又は２に記載の照明具用の光源保持具。
【請求項４】
a) 請求項１から３のいずれかに記載の光源保持具と、
b) 前記光源固定部に取り付けられた光源と、
c) 前記各アームに沿って設けられた電線と
を備えることを特徴とする照明具。
【請求項５】
請求項４に記載の照明具を有することを特徴とする宗教行事用照明装置。
【考案の詳細な説明】
【技術分野】
【０００１】
本考案は、複数の光源を有する照明具及び該照明具に用いられる光源保持具に関する。本考案は例えば葬儀葬祭等の宗教行事に用いられる法要灯等の宗教行事用照明装置に好適に用いることができる。
【背景技術】
【０００２】
仏教では、故人が亡くなってから四十九日目（中陰法要、忌明）に至るまで七日毎に追善供養を行う。その際、仏壇の左右に法要灯等の灯りを立てることが行われる。
【０００３】
従来、宗教行事で用いられる法要灯等の光源には、蝋燭が用いられてきた。しかし、火災の危険性があることから、近年では蝋燭の代わりに電灯が用いられることが多い。その一方で、電灯では蝋燭の火のような自然な光を表現することが難しい。そこで、非特許文献１のような宗教行事用の照明具が提供されている。
【０００４】
非特許文献１の宗教行事用照明装置を図８に示す。宗教行事用照明装置１は、脚部１３と、脚部１３により支持された基台１２と、基台１２の上に取り付けられた火袋１１と、火袋１１の上縁に載置された装飾部材１５で構成される。図９(a)に火袋を取り外した状態の宗教行事用照明装置１を示す。基台１２の上にはソケット１４と、ソケット１４に装着された電灯２０が設けられている。電灯２０は、図９(b)に示すようにソケット１４に装着するためのプラグ２３と、プラグ２３に接続された複数本の電線２２と、各電線２２の先端に取り付けられたＬＥＤ等の光源２１を有する。電線２２は任意の形状に折り曲げることができる素材から成り、光源２１の位置を調整できるようになっている。
【先行技術文献】
【非特許文献】
【０００５】
【非特許文献１】有限会社人形の秀隆 ,"岐阜ちょうちん（盆提灯） LEDホタル球レインボー（12球）",[平成27年7月13日検索],インターネット<URL:http://item.rakuten.co.jp/shuryu/h9239/?scid=af_pc_etc&sc2id=66742679>
【考案の概要】
【考案が解決しようとする課題】
【０００６】
火袋１１の上部には開口１１ａが設けられている。電灯２０はこの開口１１ａをとおして火袋１１内に挿入される。この開口１１ａは火袋１１の中央付近に比べて狭いため、電灯２０は電線２２を図９(b)に示すように束ねた状態で火袋１１に挿入される。そして、プラグ２３をソケット１４に取り付けた後、光源２１を火袋１１内で展開する。光源２１を展開する際には、片手で複数の電線２２を一本ずつ曲げる作業を火袋１１内で行うこととなるが、開口１１ａが狭いため、その作業には手間がかかっていた。
【０００７】
本考案が解決しようとする課題は、火袋内で用いる照明具及び照明具用の光源保持具であって、火袋上部の狭い開口から装入した後、複数の光源を容易に展開可能な照明具及び照明具用の光源保持具を提供することである。
【課題を解決するための手段】
【０００８】
上記課題を解決するために成された本考案に係る照明具用の光源保持具は、
a) 柱状のベースと、
b) 前記ベースの上部周縁において上面から側面にかけて放射状に形成された複数の溝と、
c) 前記複数の溝のそれぞれにおいて、前記ベースの中心軸に略平行な起立状態から該中心軸から放射方向に傾斜した傾斜状態に重力により回動可能に取り付けられた1本のアームと、
d) 前記各アームの先端に設けられた、光源を固定するための光源固定部と、
を備えることを特徴とする。
【０００９】
上記光源保持具において、各アームが「起立状態」にあるとは、ベースの中心軸に平行な状態にあるか、又はそれから放射方向に0〜10゜の範囲内で傾斜していることをいう。なお、前記「傾斜状態」は、それ（すなわち、ベースの中心軸から放射方向に10゜傾斜した状態）よりも更に放射方向に傾斜した状態をいう。また、光源固定部は、アームの端部に設けたフックや溝とすることができる。
【００１０】
上記光源保持具は、前記各アームの傾斜状態における前記アームと前記中心軸との成す角度を、前記アーム毎に異なるものとしてもよい。
【００１１】
また、光源保持具は、前記ベースが、上面が扇形又は三角形であってそれぞれに前記溝が設けられた複数のベース部材を結合して構成されるものであってもよい。
【００１２】
本考案に係る照明具用の光源保持具は、ベースの上部周縁に設けられた複数の溝のそれぞれに1本ずつアームが回動可能に取り付けられている。各アームの光源固定部に光源を取り付けるとともに、その光源に電力を供給するための電線を各アームに沿って設けることにより、照明具となる。
すなわち、本考案に係る照明具は、
a) 前記光源保持具と、
b) 前記光源固定部に取り付けられた光源と、
c) 前記各アームに沿って設けられた電線と
を備える。
【００１３】
本考案に係る照明具を使用するときは、全てのアームを起立状態として手で束ね、上部の開口から火袋内に入れる。火袋内で本照明具を所定のソケット等に取り付け、手を離すと、全てのアームは重力により傾斜状態となり、火袋内でベースの周囲に放射状に広がる。
【００１４】
上記照明具においては、電線は通常の電線をアームに沿わせたものであってもよいし、アームの表面にプリント配線したものであってもよい。電線をアームに沿わせる場合、アームにフックを設けて電線を引っかけて、該アームの表面に沿わせてもよいし、アームの表面又は内部に長手方向に設けた溝の内部を通してもよい。
【００１５】
上記光源保持具及び照明具は、宗教行事用照明装置に好適に用いることができる。
【考案の効果】
【００１６】
本考案に係る光源保持具は、光源を保持するための複数のアームを束ねた状態で火袋の開口から火袋内に装入した後、該アームから手を離すだけで重力によって自然に複数のアームが展開される。したがって、これに光源及び電線を取り付けて使用することで、火袋内に光源を容易に展開することができる。
【図面の簡単な説明】
【００１７】
【図１】本考案に係る宗教行事用照明装置の全体図。
【図２】本考案に係る宗教行事用照明装置の構造を説明する図。(a)は宗教行事用照明装置の火袋を取り外した図。(b)は電灯の構造を説明する図。
【図３】本考案に係る宗教行事用照明装置の光源保持具の構造を説明する図。(a)は光源保持具の上面図。(b)は光源保持具の側面図。
【図４】本考案に係る宗教行事用照明装置のベースの構造を説明する図。(a)はベースの上面図。(b)はベース部材の上面図。(c)はベース部材の右側面図。(d)はベース部材のA-A断面図。
【図５】本考案に係る宗教行事用照明装置のアームの構造を説明する図。(a)はアームの上面図。(b)はアームの左側面図。(c)はアームの正面図。
【図６】本考案に係る宗教行事用照明装置のアームに電線及び光源を取り付けた図。
【図７】本考案に係る宗教行事用照明装置のアームの回動角を説明する図。(a)は傾斜面の角度が小さい場合。(b)は傾斜面の角度が大きい場合。
【図８】従来技術における宗教行事用照明装置の全体図。
【図９】従来技術における宗教行事用照明装置の構造を説明する図。(a)は宗教行事用照明装置の火袋を取り外した図。(b)は電灯の構造を説明する図。
【考案を実施するための形態】
【００１８】
本考案の構成を、図面を参照しながら以下詳細に説明する。
図１及び図２において、宗教行事用照明装置１００は、脚部１０３と、脚部１０３の上に取り付けられた基台１０２と、基台１０２の上に取り付けられた火袋１０１と、火袋１０１の上に取り付けられた装飾部１０４と、火袋１０１内に配置された電灯１１０（本考案における照明具）で構成される。火袋１０１の上部には開口１０１ａが設けられている。
【００１９】
図２(a)は宗教行事用照明装置１００から火袋１０１及び装飾部１０４を取り外した図である。基台１０２に設けられたソケット１０２ａに、電灯１１０が取り付けられている。
【００２０】
図２(b)に電灯１１０の構成を示す。電灯１１０は、前記ソケット１０２ａに装着されるプラグ１１６と、該プラグ１１６の上端に固定された円形トレイ１１５と、該円形トレイ１１５に保持された光源保持具１５０と、電線１１３（図６にのみ示す）と、光源１１４で構成されている。光源保持具１５０、電線１１３、光源１１４から本考案の照明具が構成される。
【００２１】
図３(a)に光源保持具１５０の上面図、図３(b)に光源保持具１５０の側面図をそれぞれ示す。光源保持具１５０は円筒形のベース１１１と角棒状の12本のアーム１１２とを有する。円形トレイ１１５はベース１１１の外形状とほぼ同じ形状の凹部を有しており、該凹部にベース１１１を嵌め込むことにより光源保持具１５０が円形トレイ１１５に保持される。光源１１４は各アーム１１２の先端に保持され、各アーム１１２に保持された電線１１３を介してプラグ１１６に電気的に接続される。円形トレイ１１５の凹部の底面にはベース１１１の中央の孔に対応する孔が形成されており、電線１１３はベース１１１及び円形トレイ１１５の孔を通してプラグ１１６に接続される。
【００２２】
ベース１１１の構成を図４に示す。ベース１１１は円筒を12等分したベース部材１１１ａを結合して構成される（図４(a)）。ベース部材１１１ａの結合方法は、隣接するベース部材１１１ａ同士で嵌合可能なフックにより行われる。また、別の結合方法として、接着剤により固定してもよいし、粘着剤によりそれぞれのベース部材１１１ａを着脱可能に結合してもよい。
図４(b)にベース部材１１１ａの上面図、図４(c)にベース部材１１１ａの側面図を示す。ベース部材１１１ａの上部外周縁には溝１１１ｂがベース部材１１１ａの上面から側面にかけて設けられている。図４(a)におけるA-A断面図を図４(d)に示す。溝１１１ｂはベース１１１の中心軸に平行な起立面１１１ｃと、側面に対して傾斜した傾斜面１１１ｄが設けられている。
【００２３】
アーム１１２の構成を図５に示す。図５(a)はアーム１１２の上面図、図５(b)はアーム１１２の左側面図、図５(c)はアーム１１２の正面図である。アーム１１２の一端にベース部材１１１ａの溝１１１ｂ内に軸支される回動軸１１２ｃが設けられており、この軸を中心にアーム１１２がその上面方向又は下面方向に回動する。また、電線１１３を保持するための、対向する一対の鉤部から成る電線保持部１１２ｂが、長手方向に2箇所に設けられている。電線保持部１１２ｂの個数は2箇所以上でも以下でも良く、アーム１１２の長さに応じて適宜設けることができる。アーム１１２の回動軸１１２cとは逆の端部には、電線保持部１１２ｂと同様な形状の光源保持部１１２ａが設けられている。
【００２４】
図６はアーム１１２に電線１１３及び光源１１４を保持した状態を示す図である。電線１１３は電線保持部１１２ｂによりアーム１１２に保持される。また、光源保持部１１２ａは電線保持部１１２ｂと同様な形状であり、アーム１１２の端部に設けられている。光源保持部１１２ａは、光源１１４の付け根部分の電線１１３を保持することにより、光源１１４をアーム１１２の端部に保持する。これ以外にも、光源保持部は鉤部により直接光源を保持してもよい。
【００２５】
アーム１１２の回動角について図７を参照しつつ説明する。図７はベース部材１１１ａにアーム１１２を取り付けた状態の、図３(a)におけるA-A断面に相当する図である。アーム１１２は、溝１１１ｂ内を、起立面１１１ｃと傾斜面１１１ｄの間で回動する。アーム１１２が起立面１１１ｃに当接した状態では（図７(a)の実線で示したアーム１１２）、アーム１１２は長手方向がベース１１１の中心軸と平行な起立状態となる。また、アーム１１２が傾斜面１１１ｄに当接した状態では（図７(a)の破線で示したアーム１１２）、アーム１１２は長手方向がベース１１１の中心軸に対して傾斜した傾斜状態となる。
【００２６】
電灯１１０は各アーム１１２を起立状態とすることで各光源１１４を束ねることができるため、開口１０１ａのような狭い部位にも挿入可能である。また、起立状態で電灯１１０をソケット１０２ａに装着し、その後、電灯１１０から手を離すことで、各アーム１１２が重力により展開されて傾斜状態となり、アーム１１１の端部に保持された光源１１４が展開される。
【００２７】
傾斜状態におけるアーム１１２とベース１１１の中心軸の成す角度（回動角）は、傾斜面１１１ｄの角度によって規定される。従って、図７(b)に示すように傾斜面１１１ｄの角度を大きくしておくことで、アーム１１２の回動角を小さくすることができる。
【００２８】
傾斜面の高さをベース部材毎に異なるものとすることもできる。例えば、回動角８０°のベース部材と傾斜角５０°のベース部材を交互に配置してベースを構成することができる。このようにすることで、傾斜状態において、高さが交互に異なる光源として使用することができる。
【００２９】
上記実施例ではベースの形状を円筒型としたが、六角柱や八角柱、十二角柱等の角柱状とし、該角柱の各辺に溝を設ける構成としてもよい。また、上記実施例ではベースを12等分したが、8等分、6等分など、光源の数に合わせて分割数を変更してもよい。さらに、ベースを分割せずに1部材とし、複数の溝を設ける構成としてもよい。
【００３０】
ベースの形状を中央に孔を有する円筒形としたが、孔を有さないものとしてもよい。この場合、電線はベースの外周からプラグに接続される。
【００３１】
起立状態における各アームの角度を中心軸と平行としたが、中心軸からベースの外周方向に0〜10°程度の範囲で傾ける構成としてもよい。起立状態のアームを傾けた状態とすることで、アームから手を離した際に自然に傾斜状態になりやすくなる。
【００３２】
また、本発明に係る照明具は宗教行事用照明装置である法要灯以外にも、提灯や雪洞等の照明具としても使用することができる。
【符号の説明】
【００３３】
１００…宗教行事用照明装置
１０１…火袋
１０１ａ…開口部
１０２…基台
１０２ａ…ソケット
１０３…脚部
１０４…装飾部
１１０…電灯
１１１…ベース
１１１ａ…ベース部材
１１１ｂ…溝
１１１ｃ…起立面
１１１ｄ…傾斜面
１１２…アーム
１１２ａ…光源保持部
１１２ｂ…電線保持部
１１２ｃ…回動軸
１１３…電線
１１４…光源
１１５…円形トレイ
１１６…プラグ
【図１】
0003200477.tif 000003
【図２】
0003200477.tif 000004
【図３】
0003200477.tif 000005
【図４】
0003200477.tif 000006
【図５】
0003200477.tif 000007
【図６】
0003200477.tif 000008
【図７】
0003200477.tif 000009
【図８】
0003200477.tif 000010
【図９】
0003200477.tif 000011